(57)【要約】【課題】ＤＳＣ等の通信装置とプリンタ等の画像処理装置とを無線接続して使用する場合において、ユーザの操作の負荷を低減する。【解決手段】通信装置であって、当該通信装置のデータを処理する画像処理装置へ無線パラメータを提供する無線通信部と、無線通信部により画像処理装置と無線パラメータを共有できた場合、画像処理装置の選択を受け付けることなく、画像処理装置にデータの処理を実行させる制御部とを備える。【選択図】  図４
2015106835.tif 000002
【特許請求の範囲】
【請求項１】
通信装置であって、
前記通信装置のデータを処理する画像処理装置へ無線パラメータを提供する無線通信手段と、
前記無線通信手段により前記画像処理装置と前記無線パラメータを共有できた場合、画像処理装置の選択を受け付けることなく、前記画像処理装置に前記データの処理を実行させる制御手段と
を備えることを特徴とする通信装置。
【請求項２】
前記無線通信手段により前記画像処理装置と前記無線パラメータを共有できなかった場合に前記無線パラメータを表示する表示手段をさらに備え、
前記表示手段に表示された前記無線パラメータを用いてユーザ操作により前記無線パラメータが１以上の画像処理装置へ入力されたことによって前記通信装置と当該１以上の画像処理装置とが無線接続された場合、
前記表示手段は画像処理装置の選択を受け付けるための選択画面を表示し、
前記制御手段は、前記選択が受け付けられた画像処理装置に前記データの処理を実行させることを特徴とする請求項１に記載の通信装置。
【請求項３】
登録済の画像処理装置の中から使用する画像処理装置を選択するか又は新規の画像処理装置を使用する画像処理装置とするかの入力を受け付ける入力受付手段をさらに備え、
前記無線通信手段は、前記入力受付手段により新規の画像処理装置を使用する画像処理装置とすることが受け付けられた場合に、無線パラメータの提供を行うことを特徴とする請求項１又は２に記載の通信装置。
【請求項４】
前記新規の画像処理装置のための無線パラメータと、当該新規の画像処理装置とを関連付けて登録する登録手段をさらに備えることを特徴とする請求項３に記載の通信装置。
【請求項５】
前記無線通信手段により画像処理装置の機器識別子を取得する取得手段をさらに備え、
前記制御手段は、前記無線通信手段が構築するネットワークへ接続する機器を、前記機器識別子に対応する画像処理装置に限定することを特徴とする請求項１乃至４の何れか１項に記載の通信装置。
【請求項６】
前記制御手段は、前記処理が完了した場合、前記無線通信手段が構築するネットワークへ接続する機器の限定を解除することを特徴とする請求項２記載の通信装置。
【請求項７】
請求項１乃至６の何れか１項に記載の通信装置と、
前記通信装置から取得したデータを処理する画像処理装置と
を備えることを特徴とする通信システム。
【請求項８】
無線通信手段と、制御手段とを備える通信装置の制御方法であって、
前記無線通信手段が、前記通信装置のデータを処理する画像処理装置へ無線パラメータを提供する無線通信工程と、
前記制御手段が、前記無線通信工程により前記画像処理装置と前記無線パラメータを共有できた場合、画像処理装置の選択を受け付けることなく、前記画像処理装置に前記データの処理を実行させる制御工程と
を有することを特徴とする通信装置の制御方法。
【請求項９】
請求項８に記載の通信装置の制御方法の各工程をコンピュータに実行させるためのプログラム。
【発明の詳細な説明】
【技術分野】
【０００１】
本発明は、通信装置、通信装置の制御方法およびプログラムに関する。
【背景技術】
【０００２】
近年、ＩＥＥＥ８０２．１１規格に準拠した無線ＬＡＮ機能を搭載したデジタルカメラ（以下、ＤＳＣ（Digital Still Camera））及びプリンタが登場しており、無線通信を介した画像データの印刷処理が可能となっている。
【０００３】
特許文献１では、ＤＳＣにおいて無線通信により通信可能なプリンタ名を表示し、これをユーザインターフェースから選択することでＤＳＣとプリンタで無線通信を確立し、画像データをプリンタに無線送信して印刷させる技術が開示されている。
【０００４】
また、最近のＤＳＣにおいてはＩＥＥＥ８０２．１１規格に準拠したアクセスポイント機能を搭載した機器が登場している。これにより、これまでのアクセスポイント（以下、基地局）を介したＤＳＣとプリンタとの無線接続形態から、ＤＳＣとプリンタとを直接無線接続することが可能となっている。ＤＳＣとプリンタとを直接接続する際の手順等を定めたピクトブリッジという規格と組み合わせることで、ＤＳＣの画像を無線で直接プリンタに送信し、印刷することが可能となっている。
【先行技術文献】
【特許文献】
【０００５】
【特許文献１】特開２００４−３２８２７２号公報
【発明の概要】
【発明が解決しようとする課題】
【０００６】
しかしながら、現在のＤＳＣとプリンタとを直接無線接続した形態での印刷手順は、既存のアクセスポイントを介しての無線を利用した手順を採用しているため、ユーザの操作としては煩雑なところがある。例えば、ユーザは無線端末としてＤＳＣとプリンタをそれぞれ１台しか所持していない状況であっても、ＤＳＣにおいて印刷先のプリンタを選択する手順を実施しなければならない。
【０００７】
上記の課題に鑑み、本発明は、ＤＳＣ等の通信装置とプリンタ等の画像処理装置とを無線接続して使用する場合において、ユーザの操作の負荷を低減することを目的とする。
【課題を解決するための手段】
【０００８】
上記の目的を達成する本発明に係る通信装置は、
通信装置であって、
前記通信装置のデータを処理する画像処理装置へ無線パラメータを提供する無線通信手段と、
前記無線通信手段により前記画像処理装置と前記無線パラメータを共有できた場合、画像処理装置の選択を受け付けることなく、前記画像処理装置に前記データの処理を実行させる制御手段と
を備えることを特徴とする。
【発明の効果】
【０００９】
本発明によれば、ＤＳＣ等の通信装置とプリンタ等の画像処理装置とを無線接続して使用する場合において、ユーザの操作の負荷を低減することが可能となる。
【図面の簡単な説明】
【００１０】
【図１】第１実施形態に係る通信システムの構成例を示す図。
【図２】第１及び第２実施形態に係る通信装置（ＤＳＣ）の機能ブロック図
【図３】第１及び第２実施形態に係る表示部205が表示する表示画面の一例を示す図。
【図４】（ａ）及び（ｂ）は、第１実施形態に係る通信装置（ＤＳＣ101）が実施する処理手順を示すフローチャート。
【図５】第１実施形態に係る通信装置（ＤＳＣ101）及び印刷装置（プリンタ102）のシーケンス図。
【図６】第２実施形態に係る通信システムの構成例を示す図。
【図７】（ａ）及び（ｂ）は、第２実施形態に係る通信装置（ＤＳＣ601）が実施する処理手順を示すフローチャート。
【図８】第２実施形態に係る通信装置（ＤＳＣ601）及び印刷装置（プリンタ602、603）のシーケンス図。
【発明を実施するための形態】
【００１１】
以下、添付の図面を参照して、本発明に係る各実施形態を説明する。以下ではＩＥＥＥ８０２．１１規格に準拠して無線ＬＡＮシステムを用いた例について説明するが、通信形態は必ずしもこれに限らない。また各実施形態ではＤＳＣが基地局になって無線ネットワークを生成し、プリンタが当該無線ネットワークに参加する方法で説明している。しかし、ＩＥＥＥ８０２．１１規格のアドホックモードを用いてＤＳＣとプリンタとを直接無線接続してもよい。各実施形態で共通している特徴点並びに目的は、ＤＳＣとプリンタとが直接無線で接続され、さらにはＤＳＣの画像データを直接無線でプリンタに送信し、印刷することができることである。
【００１２】
（第１実施形態）
図１は、本実施形態における通信システムの構成例である。ＤＳＣ101（通信装置）はＩＥＥＥ８０２．１１規格に対応したアクセスポイント機能を搭載しており、無線ネットワークを構築する基地局として機能することができる。このＤＳＣ101が構成する無線ネットワークに無線端末として無線ＬＡＮ機能を搭載しているプリンタ102が参加しようとしている。
【００１３】
図２を参照して、ＤＳＣ101における無線端末の構成を説明する。ＤＳＣ101は、ＤＳＣ機能部201と、電源部202と、表示処理部203と、無線通信機能部204と、表示部205と、操作部206と、無線パラメータ制御部207と、記憶部208と、無線印刷制御部209とを備えている。
【００１４】
ＤＳＣ機能部201は、実際にＤＳＣとして撮像処理等の機能を処理する。電源部202は、ＤＳＣ機能部201、無線通信機能部204等、ＤＳＣ101が動作するのに必要な機能に電力を供給する。表示処理部203は、ＬＣＤ表示、ＬＥＤ表示等、無線機能に関してユーザに対する表示内容を制御及び情報として表示部205に表示する。一例を図３に示す。図３に示すようにユーザがＤＳＣ101内の画像を印刷する際に、印刷先となるプリンタを選択できるように表示することができる。無線機能に関する設定などの操作は、表示処理部203および操作部206が連携して行われる。
【００１５】
無線通信機能部204は、ＩＥＥＥ８０２．１１規格に則って無線端末として機能する。本実施形態ではＤＳＣは基地局として動作するので、基地局機能も備えている。なお従来の無線端末として基地局を検索し、基地局へ無線接続することも、アドホックネットワークでの無線通信も可能である。操作部206は、後述するプリンタ102との無線印刷を開始するトリガ、またはＷＰＳ（Ｗｉ−Ｆｉ  Ｐｒｏｔｅｃｔｅｄ  Ｓｅｔｕｐ(tm)の略）と呼ばれる無線パラメータ自動設定システムの処理を開始するトリガを与える設定ボタンも具備する。
【００１６】
つまり、表示部205及び操作部206がＤＳＣ101の無線機能に関するユーザI/Fとなる。これらの無線機能に関するブロックはＣＰＵによって処理がなされる。ＣＰＵによって制御されるプログラムは、ＲＡＭ、もしくはフラッシュＲＯＭなどによって構成された記憶部208に格納される。無線ネットワーク生成時に生成する無線パラメータなども記憶部208に格納される。またＣＰＵによって処理されるデータも記憶部208対して書き込み、読み込みが行われる。
【００１７】
無線パラメータ制御部207は、ＤＳＣ101が基地局として無線ネットワークを生成する際に必要な無線パラメータを生成する。また生成した無線ネットワークに無線端末が参加する際に、無線端末へ無線パラメータを提供するためのＷＰＳ機能を実行する。無線印刷制御部209は、ＤＳＣ101の画像印刷先となるプリンタの選択状況に応じて、表示処理部203に表示処理させる印刷操作内容を決定し、表示内容を決定する。
【００１８】
プリンタ102は、ＩＥＥＥ８０２．１１規格に対応した無線端末機能を搭載した印刷装置であり、無線ネットワークに参加するための無線パラメータを簡単に入手するためのＷＰＳ機能を搭載している。
【００１９】
以上、図１の通信システムの構成及び図２の通信装置（ＤＳＣ）の構成について説明した。図１の通信システムにおいて、ＤＳＣ101はプリンタ102と直接無線通信することで画像データを印刷しようとしている。このときに、ユーザの操作数を低減し、無線印刷を実現する。
【００２０】
以下、具体的な方法を図４（ａ）−（ｂ）のフローチャート、図５のシーケンス図を用いて説明する。ＤＳＣ101のユーザがＤＳＣ101内に記憶されている画像データの印刷を試みるものとする。ＤＳＣ101のユーザは印刷したい画像を選択し、表示部205及び操作部206を利用して印刷処理を開始する（S401、S501）。ＤＳＣ101はこの操作に伴い図３に示すように、過去に使用したことのあるプリンタを選択する場合の「登録済プリンタ」、初めて使用するプリンタを選択する場合の「新規プリンタ」の入力を受け付ける選択画面を表示部205に表示し、ユーザに選択させる（入力受付処理；S402、S502）。
【００２１】
初めて使用するプリンタを選択する場合の「新規プリンタ」を選択した場合のケースから説明する。ユーザが表示部205に表示された図３に示す「新規プリンタ」を選択すると(S403)、ＤＳＣ101の無線パラメータ制御部207は、新規に無線パラメータを生成し、無線通信機能部204は、この無線パラメータに基づいて無線ネットワークを生成する（S404、S503）。さらには当該無線ネットワークに接続してくるプリンタへ無線パラメータを提供するためにＷＰＳ機能を開始する（S405、S504）。無線パラメータ制御部207は、ＷＰＳ機能を介して無線パラメータをプリンタ102に提供できたか否かを確認する（S406、S506）。
【００２２】
一方、プリンタ102においては無線印刷を実行するための操作を行う。プリンタ102をＤＳＣ101が生成する無線ネットワークへ接続するため、プリンタ102においてＷＰＳ機能を開始する（S505）。ＤＳＣ101により無線ネットワークが生成されると、プリンタ102はＷＰＳ機能を介して無線パラメータを入手する（S506）。この無線パラメータを使用してＤＳＣ101の生成した無線ネットワークに接続し（S507）、印刷の準備を開始する。
【００２３】
ここで、プリンタ102にＷＰＳ機能が搭載されておらず、ＤＳＣ101により無線パラメータを提供できなかった場合（S406;No）について説明する。ＤＳＣ101の無線印刷制御部209が無線パラメータを提供できなかったと判断した場合（S414）、ＤＳＣ101は、無線パラメータ制御部207により生成された無線パラメータを表示部205に表示する（S415）。ＤＳＣ101に表示された無線パラメータをプリンタ102に入力することで、プリンタ102はＤＳＣ101が生成した無線ネットワークに接続することが可能となる（S416、S507）。無線印刷制御部209は、無線ネットワークに接続されたプリンタを検出すると（S417、S508）、表示部205にプリンタ名を表示し（S418）、ユーザは所望のプリンタを選択する（S419）。ここでプリンタ名を表示するのは、先の処理でＤＳＣ101の表示部205に無線パラメータを表示するため、複数のプリンタが無線ネットワークに参加することが可能となるからである。このケースを想定してプリンタを選択する処理が必要となる。なお、図５のシーケンス図ではプリンタにＷＰＳ機能が搭載されている場合を説明しているので、「プリンタ選択処理」は図示していない。
【００２４】
次にプリンタ102にＷＰＳ機能搭載されており、ＤＳＣ101により無線パラメータを提供できた場合（S406;Yes）について説明する。ＤＳＣ101において無線パラメータ制御部207は、無線パラメータを提供できることを確認した後、プリンタ102との無線接続が完了したことを確認する（S407、S507）。さらには接続された機器がプリンタであることの確認処理として、プリンタ検出処理を実施する（S408、S508）。
【００２５】
ＤＳＣ101は新たに作成した無線パラメータで無線ネットワークを生成しており、さらにはＷＰＳ機能で無線パラメータを同時に提供できるのは１台のみである。よって当該無線ネットワークに参加できる無線端末はプリンタ102のみであって、検出されるプリンタは１台のみである。以上からＤＳＣ101がＷＰＳ機能によってプリンタ102と無線パラメータを共有できた場合、ユーザがプリンタを選択する処理は不要であるので、無線印刷制御部209はプリンタの選択処理を省略する。
【００２６】
以上のようにしてＤＳＣ101の画像データの印刷先が決定される。ＤＳＣ101はプリンタに対して印刷可能な状態であるかを確認した後（S409、S509）、ＤＳＣ101から画像データがプリンタ102に送信され、プリンタ102において印刷処理が実行される（S410、S510）。
【００２７】
ここで「新規プリンタ」が選択されていた場合（S411;Yes）、無線印刷制御部209は印刷が完了した時点でこの印刷処理で使用した無線パラメータとプリンタ名とを関連付けて記憶部208に記憶する（S412）。次回以降に印刷処理を実行する場合は、図３の「登録済プリンタ」を選択すると（S402、S502）、記憶したプリンタ名が表示されることになる。当該プリンタ名を選択することで記憶済みの無線パラメータで無線ネットワークを生成することが可能となる（S413）。
【００２８】
以降、同様の処理を実施することで、ＤＳＣ101の画像データをプリンタ102に無線印刷することが可能となる（S408〜S410、S507〜S510）。なお、この場合も当該無線パラメータを記憶するプリンタは登録したプリンタ１台のみであることから、プリンタ名を選択する処理は不要となる。
【００２９】
以上説明したように、プリンタ102がＷＰＳ機能を搭載していれば、ＤＳＣ101は印刷画像を選択し、「登録済みプリンタ」または「新規プリンタ」を選択する処理のみを実行することで、ＤＳＣ101内の所望の画像データの印刷処理が可能となる。すなわち、ＤＳＣとプリンタの無線接続処理において、無線パラメータをＷＰＳ等のイ無線パラメータ共有機能を用いて共有した場合は、ＤＳＣでの印刷先のプリンタを選択する手順を省略する。これによりユーザは簡単な操作でＤＳＣ101の画像データをプリンタ102に無線で印刷することが可能となる。
【００３０】
このように本実施形態によれば、ＤＳＣ等の通信装置とプリンタとを直接無線接続した形態での印刷作業において、ユーザの操作を低減することが可能となる。
【００３１】
（第２実施形態）
第１実施形態ではＤＳＣが無線ネットワークを生成する毎に、新規に無線パラメータを生成する場合について説明した。これに対して、本実施形態ではＤＳＣが無線ネットワークを生成する際に使用する無線パラメータが固定の場合について説明する。なお、本実施形態に係るＤＳＣ601は第１実施形態のＤＳＣ101と同じものであって、その差異は無線パラメータの生成方法である。プリンタ602、プリンタ603はＩＥＥＥ８０２．１１規格に対応した無線端末機能を搭載した印刷装置であり、無線ネットワークに参加するための無線パラメータを簡単に入手するためのＷＰＳ機能を搭載している。
【００３２】
図６は、本実施形態における通信システムの構成例である。ＤＳＣ601はＩＥＥＥ８０２．１１規格に対応したアクセスポイント機能を搭載しており、無線ネットワークを構築する基地局として機能することができる。ここではネットワーク識別子である「SSID」を「CAMERA_1234」、ネットワークセキュリティを「WPA2」として無線ネットワークを構成している。このＤＳＣ601が構成する無線ネットワークに、無線端末として無線ＬＡＮ機能を搭載しているプリンタ602が参加しようとしている。本実施形態ではＤＳＣ601が印刷を試みようとしているのはプリンタ602であって、プリンタ602はいずれの無線ネットワークにも属していないものとする。プリンタ603は、既にＤＳＣ601と直接無線接続し、画像データの印刷処理をしたことがあるプリンタである。またＤＳＣ601が生成する無線ネットワークの無線パラメータは「SSID」が「CAMERA_1234」、「セキュリティ」が「WPA2」であることを記憶しているプリンタである。プリンタ602は電源投入済みであり、記憶している無線パラメータに基づいて、無線ネットワークを検出している状態である。
【００３３】
本実施形態に係る通信システムにおいて、ＤＳＣ601の画像データをプリンタ602に簡単に印刷する方法を図７（ａ）−（ｂ）のフローチャート、および図８のシーケンス図を用いて説明する。まずＤＳＣ601のユーザはＤＳＣ601内に記憶されている画像データの印刷を試みる。ＤＳＣ601のユーザは印刷したい画像を選択し、表示部205及び操作部206を利用して印刷処理を開始する（S701、S801）。ＤＳＣ601の無線パラメータ制御部207はこの操作に伴い固定された無線パラメータである「SSID」を「CAMERA_1234」、ネットワークセキュリティを「WPA2」として無線通信機能部204に提供し、無線通信機能部204は無線ネットワークを生成する（S702、S802）。ＤＳＣ601はこの操作に伴い図３に示すように、過去に使用したことのあるプリンタを選択する場合の「登録済プリンタ」、初めて使用するプリンタを選択する場合の「新規プリンタ」を表示部205に表示し、ユーザに選択させる（S703）。
【００３４】
本実施形態では、ＤＳＣ601はプリンタ602に印刷を試みようとしており、プリンタ602はいずれの無線ネットワークにも属していないことから、ユーザは初めて使用するプリンタを選択する場合の「新規プリンタ」を選択する。ユーザは表示部205に表示された図３に示す「新規プリンタ」を選択する（S704）。無線パラメータ制御部207は当該無線ネットワークに接続してくる機器に対して無線パラメータを提供するためにＷＰＳ機能を開始する（S705、S804）。無線パラメータ制御部207はＷＰＳ機能を介して無線パラメータをプリンタ602に提供できたかを確認する（S706）。
【００３５】
プリンタ602にＷＰＳ機能搭載されている場合、ＤＳＣ601はＷＰＳ機能を利用することで、プリンタ602と無線パラメータを共有する。本実施形態ではプリンタ602はＷＰＳ機能を搭載している。よってプリンタ602をＤＳＣ601が生成する無線ネットワークへ接続するため、プリンタ602においてＷＰＳ機能が開始する（S805）。ＤＳＣ601にて無線ネットワークが生成されると、プリンタ602はＷＰＳ機能を介して無線パラメータを入手する（S806）。以上の手法で無線パラメータを取得したプリンタ602は、ＤＳＣ601の生成する無線ネットワークに接続することが可能となる。
【００３６】
ところが印刷先として想定していないプリンタ603においても無線ネットワークを検出している状態であることから、ＤＳＣ601が固定された無線パラメータに基づいて無線ネットワークを生成すると、無線接続が実施される（S803）。従ってＤＳＣ601は画像データの印刷先をプリンタ602に限定するための処理が必要となる。
【００３７】
ＤＳＣ601の無線印刷制御部209は、プリンタ602とのＷＰＳ処理において、プリンタ602の機器識別子を取得する。さらに無線印刷制御部209は、ＤＳＣ601の生成ずる無線ネットワークへ接続可能な無線端末を当該機器識別子に対応する機器のみに限定する（S707、S807）。この処理に伴い、プリンタ603はＤＳＣ601が生成する無線ネットワークから切断され（S808）、以後当該無線ネットワークへ参加することは不可能となる（S809）。
【００３８】
無線印刷制御部209は、接続された機器がプリンタであることの確認処理として、プリンタ検出処理を実施する（S709、S811）。無線印刷制御部209は、無線ネットワークへ接続可能な無線端末を機器識別子が該当する機器のみに限定している。よって当該無線ネットワークに参加できる無線端末はプリンタ602のみであって、検出されるプリンタは１台のみである。以上からＤＳＣ601がＷＰＳ機能によってプリンタ602と無線パラメータを共有できた場合、ユーザがプリンタを選択する処理は不要であるので無線印刷制御部209はプリンタの選択処理を省略する。
【００３９】
ここでプリンタ602にＷＰＳ機能が搭載されておらず、ＤＳＣ601にて無線パラメータの提供をできなかった場合（S715）について説明する。無線パラメータ制御部207が無線パラメータの提供ができなかったと判断した場合（S706;No）、無線パラメータ制御部207は生成した無線パラメータを表示部205に表示する（S716）。表示部205に表示された無線パラメータをユーザ操作によってプリンタ602に入力することで、プリンタ602はＤＳＣ601が生成した無線ネットワークに接続することが可能となる（S717、S810）。ＤＳＣ601の無線印刷制御部209は、無線ネットワークに接続されたプリンタを検出すると（S718、S811）、表示部205にプリンタ名を表示し（S719）、ユーザに所望のプリンタを選択させる（S720）。ここでプリンタ名を表示するのは、先の処理でＤＳＣ601の表示部205に無線パラメータを表示するため、１以上複数のプリンタが無線ネットワークに参加することが可能となるからである。このケースを想定してプリンタを選択する処理が必要となる。なお、図８のシーケンス図はプリンタにＷＰＳ機能が搭載されている場合を説明しているので、「プリンタ選択処理」は図示していない。
【００４０】
以上の手法でＤＳＣ601の画像データの印刷先が決定される。そしてＤＳＣ601の無線印刷制御部209はプリンタに対して印刷可能な状態であるか否かを確認（S710、S812）する。その後、ＤＳＣ601から画像データがプリンタ602に送信され、プリンタ602により印刷処理が実行される（S711、S813）。無線ネットワークへ接続可能な無線端末を機器識別子で限定している場合は、無線印刷制御部209は印刷処理が完了した後にこれを解除する(S712)。
【００４１】
「新規プリンタ」が選択された場合（S713;Yes）、印刷が完了したら無線印刷制御部209はこの印刷処理で使用した無線パラメータとプリンタ名及びプリンタの機器識別子とを関連付けて記憶部208に記憶する（S714）。次回以降に印刷処理を実行する場合は、図３の「登録済プリンタ」を選択することになり（S703）、記憶したプリンタ名が表示されることになる。当該プリンタ名を選択することで、無線印刷制御部209は無線ネットワークに接続可能な端末を記憶した機器識別子で限定することが可能となる（S707、S807）。以下、同様の処理を実施することで、ＤＳＣ601の画像データをプリンタ602に無線印刷することが可能となる（S708〜S712、S810〜S813）。
【００４２】
以上説明したように、プリンタ602がＷＰＳ機能を搭載していれば、ＤＳＣ601は印刷画像を選択し、「登録済みプリンタ」または「新規プリンタ」を選択する処理のみを実行することで、ＤＳＣ601内の所望の画像データの印刷処理が可能となる。すなわちユーザは簡単な操作でＤＳＣ601の画像データをプリンタ602に無線で印刷することが可能となる。また、機器識別子の情報を用いて無線接続を許可するプリンタを限定することで、所望のプリンタとの接続を実現することが可能となる。
【００４３】
（その他の実施形態）
上記実施形態における印刷装置（プリンタ）は、画像処理装置の一例であり、スキャナ、複合機、複写機、ＦＡＸ、ディスプレイ装置等のその他の画像処理装置においても本発明は適用可能である。また、上記実施形態におけるＤＳＣは通信装置の一例であり、ＰＣや携帯電話、スマートフォン、モバイル端末、ＰＤＡ等の他の通信装置においても本発明は適用可能である。
【００４４】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2015106835.tif 000003
【図２】
2015106835.tif 000004
【図３】
2015106835.tif 000005
【図４】
2015106835.tif 000006
【図５】
2015106835.tif 000007
【図６】
2015106835.tif 000008
【図７】
2015106835.tif 000009
【図８】
2015106835.tif 000010